(57)【要約】【課題】不要な折れの発生をほぼ完全なレベルにまで防止することの可能な輪転印刷機の折機の提供を目的とする。【解決手段】  新聞紙１０の第二折りを行う一対のフォルディングローラ２１，２２を備えた輪転印刷機の折機１において、少なくとも一部が、折り胴４１と一対のフォルディングローラ２１，２２とに囲まれた空間内５４に設けられ、かつ、先端部が、新聞紙１０をフォルディングローラ２１，２２に円滑に導く形状を有する折れ防止ガイド６を具備した構成としてある。【選択図】  図１
2007276932.tif 000002
【特許請求の範囲】
【請求項１】
印刷紙の第二折りを行う一対のフォルディングローラを備えた輪転印刷機の折機において、
少なくとも一部が、折り胴と一対のフォルディングローラとに囲まれた空間内に設けられ、かつ、先端部が、前記印刷紙をフォルディングローラに円滑に導く形状を有する折れ防止ガイド
を具備したことを特徴とする輪転印刷機の折機。
【請求項２】
前記折れ防止ガイドが、前記印刷紙の袋とじ側及びペラ側の天側端部及び地側端部の少なくとも一つ以上に対応する位置に設けられたことを特徴とする請求項１記載の輪転印刷機の折機。
【請求項３】
前記折れ防止ガイドが、位置調整自在に支持されたことを特徴とする請求項１又は２記載の輪転印刷機の折機。
【請求項４】
前記折れ防止ガイドが、前記フォルディングローラの周方向に形成された溝に、該折れ防止ガイドの一部が収容された状態で支持されたことを特徴とする請求項１〜３のいずれか一項に記載の輪転印刷機の折機。
【請求項５】
前記折れ防止ガイドが、樹脂又は軟質金属からなることを特徴とする請求項１〜４のいずれか一項に記載の輪転印刷機の折機。
【請求項６】
前記折れ防止ガイドが、進退自在に支持され、かつ、該折れ防止ガイドを遠隔操作するための駆動手段を備えたことを特徴とする請求項１〜５のいずれか一項に記載の輪転印刷機の折機。
【発明の詳細な説明】
【技術分野】
【０００１】
この発明は、輪転印刷機の折機に関し、特に、一対のフォルディングローラが、印刷紙の第二折りを行う際、印刷紙の端に発生する不要な折れ（天折れ，地折れ）を防止するための、折れ防止ガイドを備えた輪転印刷機の折機に関する。
【背景技術】
【０００２】
一般的に、新聞輪転機は、大きく分類すると印刷機（印刷部）と折機（折り部）を備えている。
上記新聞輪転機（輪転印刷機ともいう。）は、印刷機が印刷した連続紙を、レールフレーム部でガイドした状態で、折機に送り込み、折機が、折機上部に設けられたフォーマで第一折りし、続いて、折胴と鋸胴の間に導く。その後、折胴に設けられ、所定のタイミングで揺動突出する紙引き針が、導かれた連続紙の印刷面の余白に当たる適宜な位置に突き刺さり、連続紙を折胴周面に固定する。これにより、紙引き針によって固定された連続紙が、折胴の回転とともに折胴周面に巻き付く。続いて、鋸胴に設けられた鋸歯と折胴に設けられたカッチングラバーが、鋸胴及び折胴の回転とともに回転移動し、向き合って当接すると、折胴に巻き付いた連続紙を、新聞紙の所定の長さに断裁する。
【０００３】
鋸歯とカッチングラバーが、折胴に巻き付いた連続紙を断裁するのとほぼ同じタイミングで、折胴から突出されていた紙引き針が折胴内に引っ込み連続紙から抜ける。さらに、これとほぼ同じタイミングで、折胴に設けられた折ブレードが、断裁された新聞紙の地側端部と天側端部のほぼ中央部分を下方に突き押し、突き押された新聞紙の中央部分が一対のフォルディングローラの隙間へ押し込まれ、回転する一対のフォルディングローラが、新聞紙を下方に移動させることにより、新聞紙の第二折りが行われる。
この状態を、図面を参照して説明する。
【０００４】
（従来例）
図３は、従来例にかかる輪転印刷機の折機の要部の概略図であり、（ａ）は平面図を、（ｂ）は第二折りが行なわれる状態を説明するためのＢ−Ｂ断面図を示している。
同図（ａ）において、折機１００は、対向する一対の天側フォルディングローラ１２１及び地側フォルディングローラ２２と、対向して配設された複数の天側ガイド３１及び地側ガイド３２とを備えている。
【０００５】
天側フォルディングローラ１２１と地側フォルディングローラ２２は、第二折りされた新聞紙１０が通り抜けるように、微小な隙間をあけて対向して配設してある。また、天側フォルディングローラ１２１及び地側フォルディングローラ２２は、軸方向に沿って８箇所に、周方向に逃げ溝２３が形成してあり、折胴４１から突出した紙引き針（図示せず）が、逃げ溝２３を通って回転する。また、８箇所の逃げ溝２３のうち、ペラ側の２箇所の逃げ溝２３は、他のものより狭い間隔で形成されており、新聞紙１０のペラ側を紙引き針がしっかり支える構造としてある。
【０００６】
同図（ｂ）において、ハイポサイドロイド曲線に沿って移動する折ブレード４２が、断裁された新聞紙１０の地側端部と天側端部のほぼ中央部分を下方に突き押し、突き押された新聞紙１０の中央部分が一対のフォルディングローラ１２１，２２の間の隙間へ押し込まれている。この際、新聞紙１０の天側端部は、断裁されフリーの状態にあり、地側端部は、紙引き針が引き抜かれることによりフリーの状態にある。フリー状態にある両端部をガイドするために、対向する位置に各１０個の天側ガイド３１及び地側ガイド３２が設けられている。また、各１０個の天側ガイド３１及び地側ガイド３２のうち、ペラ側の各３個は、側面どうしが接触した状態で設けられており、新聞紙１０のペラ側に発生しやすい不要な折れ（ペラ側天折れ，ペラ側地折れ）を防止する効果を高めている。
【０００７】
上記天側ガイド３１及び地側ガイド３２は、新聞紙１０をガイドするための折胴４１の半径より大きな曲率半径を有する曲面を有している。また、天側ガイド３１の天側フォルディングローラ１２１側の先端部は、折胴４１の回転中心と天側フォルディングローラ１２１の回転中心が含まれる仮想平面５１の外側に位置している。さらに、地側ガイド３２の地側フォルディングローラ２２側の先端部は、折胴４１の回転中心と地側フォルディングローラ２２の回転中心が含まれる仮想平面５２の外側に位置している。
【０００８】
また、輪転印刷機は、図示してないが、折機１００の下方に、デリバリーファンとデリバリーベルトを有する排紙装置を備えている。この排紙装置は、一対のフォルディングローラ１２１，２２から排出され第二折りされた新聞紙１０を、ガイドで案内しつつデリバリーファンが受け取り、デリバリーファンが回転することによって、新聞紙１０を折機１００の外へ排出するデリバリーベルト上へ新聞紙１０を載置し、第二折りされた新聞紙１０を折機１００外へ排出する。
【０００９】
次に、上記折機１００による新聞紙１０の不要な折れ（適宜、折れと略称する。）について、図面を参照して説明する。
図４は、従来例にかかる輪転印刷機の折機による不要な折れを説明するための概略図であり、（ａ）は第二折りが行なわれている状態を説明するための拡大断面図を、（ｂ）は第二折りの最終段階の状態を説明するための拡大断面図を、（ｃ）は不要な折れが発生した状態を説明するための拡大断面図を、（ｄ）は不要な折れが発生した新聞紙の斜視図を示している。
同図（ａ）において、新聞紙１０は、天側フォルディングローラ１２１と地側フォルディングローラ２２に挟まれた状態で下方に送り出されることにより、第二折りが行なわれている。
フォルディングローラ１２１，２２は、凹凸状に筋目形状など摩擦抵抗が大きくなる表面加工が施されている。また、フォルディングローラ１２１，２２の周速は、現在第二折りしている新聞紙１０と次の新聞紙１０との追突を防ぐために、折胴４１の周速より速く設計されている。
【００１０】
新聞紙１０は、第二折りを確実にしながらフォルディングローラ１２１，２２を通過するが、地側端部及び天側端部は、フリーの状態となって地側ガイド３２及び天側ガイド３１に案内されながらフォルディングローラ１２１，２２へ引き込まれる。この際、新聞紙１０の地側端部は、折胴４１によって、折胴４１の回転方向に引っ張られ、天側端部は、折胴４１に押されるため、一対のフォルディングローラ１２１，２２に挟み込まれる前の新聞紙１０は、地側が緩やかに（大きな曲率半径で）曲っているのに対して、天側が急激に（小さな曲率半径で）曲っている。
【００１１】
次に、同図（ｂ）に示すように、第二折りの最終段階に入ると、すなわち、折り胴４１と一対のフォルディングローラ１２１，２２とに囲まれた空間５４（より厳密には、折胴４１，天側フォルディングローラ１２１及び地側フォルディングローラ２２に囲まれ、かつ、仮想平面５１，５２に挟まれ、さらに、天側フォルディングローラ１２１の回転中心と地側フォルディングローラ２２の回転中心が含まれる仮想平面５３の上方の空間５４に、新聞紙１０の天側端部及び地側端部が入ると、この両端部は、完全にフリー状態となり中央側に移動する。
【００１２】
次に、中央側に移動した両端部は衝突し、その反力によって、反中央側に移動する。この際、衝突に関係する微妙な要因によって、同図（ｃ）に示すように、折れが発生する。上記微妙な要因としては、空間５４内における、折胴４１やフォルディングローラ１２１，２２の回転によって引き起こされる無秩序な空気の流れ，新聞紙１０がフォルディングローラ１２１，２２に引き込まれる際に発生する空気の流れや、フリー状態となった天側端部及び地側端部の慣性力，フォルディングローラ１２１，２２へ引き込まれる力などの影響や、新聞紙１０の剛性，くせに関係する材質や、インキ量，湿し水量に関わる印刷状況及び新聞紙の頁数などが挙げられる。すなわち、衝突に関係する微妙な要因によって、天側端部や地側端部に新聞紙１０の暴れ（たとえば、天側端部と地側端部が中央側で強く衝突し、その反力によって、反中央側に不安定に移動する現象）が生じ、その先端部分がバタついて折れ曲がりそのままフォルディングローラ１２１，２２の表面に引っかかり、巻き込まれ通過することにより、新聞紙１０の天側端部や地側端部に不要な折れが発生する。
【００１３】
この折れは、ペラ側天折れ，ペラ側地折れ，袋とじ側天折れ，袋とじ側地折れの四種類あり、同図（ｄ）に示すペラ側天折れが最も発生する確率が高い。また、従来の折機１００で発生する天折れ、地折れの出現場所は、新聞紙１０の天側及び地側の両端部分であり、中央部分において発生することは、ほとんど無い。
なお、同図（ｄ）に示すペラ側天折れは、二回折れているが、一回折れや三回以上の折れ（図示せず）も発生する。
【００１４】
上記不要な折れの発生を防止する技術として、フォルディングローラの形状や隙間を調整する技術、第二折りされる新聞紙のガイドの形状や位置を調整する技術、あるいは、上記空間５４（断面形状がほぼ三角形であることから、デルタ地帯とも呼ばれる。）において、新聞紙の天側端部や地側端部を折胴４１側へ押し付ける方向にエアーの間欠あるいは連続した吹き付けを行う技術、小さなブラシやブラシロールを用いた技術など、様々な技術が提案されてきた。
たとえば、実公平０７−２４３６８号公報には、一対のフォルディングローラの少なくとも一方が、ローラ本体と、このローラ本体と同径に形成され、通過する走行紙のペラ側となるローラ本体の一端軸部に同軸的に、かつローラ本体に対し円周方向の位相が調整可能に嵌合されたローラ部とからなる輪転機の折畳装置用折りローラの技術が開示されている。
【特許文献１】実公平０７−２４３６８号公報
【発明の開示】
【発明が解決しようとする課題】
【００１５】
しかしながら、上記実用新案文献１に記載された技術や従来の様々な技術は、折れの発生を抑制することはできたものの、不要な折れの発生をほぼ完全なレベルにまで防止することはできないといった問題があった。
【００１６】
本発明は、上記問題を解決すべく、折れの発生メカニズムに着目し、折れの発生をほぼ完全なレベルにまで防止することの可能な輪転印刷機の折機の提供を目的とする。
【課題を解決するための手段】
【００１７】
上記目的を達成するために、本発明の輪転印刷機の折機は、印刷紙の第二折りを行う一対のフォルディングローラを備えた輪転印刷機の折機において、少なくとも一部が、折り胴と一対のフォルディングローラとに囲まれた空間内に設けられ、かつ、先端部が、前記印刷紙をフォルディングローラに円滑に導く形状を有する折れ防止ガイドを具備した構成としてある。
このようにすると、折り胴と一対のフォルディングローラとに囲まれた空間内に設けられた一部が、折り胴と一対のフォルディングローラとに囲まれた空間内における、印刷紙の天側端部や地側端部が折れ曲がるためのスペースを奪うとともに、先端部が、印刷紙を一対のフォルディングローラに導くことができるので、印刷紙の天側端部や地側端部の暴れ（不安定な挙動）やバタつきにより、フォルディングローラ表面に引っかかることを効果的に抑制し、天折れや地折れを確実に防止することができる。
なお、折り胴と一対のフォルディングローラとに囲まれた空間とは、折り胴の表面，一方のフォルディングローラの表面，他方のフォルディングローラの表面，折り胴の回転中心と一方のフォルディングローラの回転中心が含まれる仮想平面，折り胴の回転中心と他方のフォルディングローラの回転中心が含まれる仮想平面，及び，一方のフォルディングローラの回転中心と他方のフォルディングローラの回転中心が含まれる仮想平面によって囲まれる空間をいう。
【００１８】
また、本発明の輪転印刷機の折機は、前記折れ防止ガイドが、前記印刷紙の袋とじ側及びペラ側の天側端部及び地側端部の少なくとも一つ以上に対応する位置に設けられた構成としてある。
このようにすると、印刷紙の天折れや地折れを効果的に防止することができる。
【００１９】
また、本発明の輪転印刷機の折機は、前記折れ防止ガイドが、位置調整自在に支持された構成としてある。
このようにすると、印刷紙の枚数や印刷速度などに応じて、折れ防止ガイドの位置を調整することができるので、折れをより確実に防止することができる。
【００２０】
また、本発明の輪転印刷機の折機は、前記折れ防止ガイドが、前記フォルディングローラの周方向に形成された溝に、該折れ防止ガイドの一部が収容された状態で支持された構成としてある。
このようにすると、折れ防止ガイドを厚くすることができ、機械的強度を向上させることができる。また、折れ防止ガイドの位置調整の自由度を増大させることができる。
【００２１】
また、本発明の輪転印刷機の折機は、前記折れ防止ガイドが、樹脂又は軟質金属からなる構成としてある。
このようにすると、紙詰まり等のトラブルが発生した場合であっても、フォルディングローラなどに損傷を与えるといった不具合を防止することができる。すなわち、紙詰まりによって折れ防止ガイドが破損し、破損片がフォルディングローラに挟み込まれても、フォルディングローラなどへの損傷を防止することができる。
【００２２】
また、本発明の輪転印刷機の折機は、前記折れ防止ガイドが、進退自在に支持され、かつ、該折れ防止ガイドを遠隔操作するための駆動手段を備えた構成としてある。
このようにすると、折機を作動させながら、折れ防止ガイドの位置を容易に微調整したり、新聞のページ数に応じて、あらかじめ設定位置を遠隔操作によりセットすることができる。
【発明の効果】
【００２３】
本発明における輪転印刷機の折機によれば、折れ発生のメカニズムに着目し、印刷紙の天側端部や地側端部が折れ曲がるためのスペースを奪うことにより、天折れや地折れをほぼ完全なレベルにまで防止することができる。
【発明を実施するための最良の形態】
【００２４】
［実施形態］
図１は、本発明の一実施形態にかかる輪転印刷機の折機の要部の概略図であり、（ａ）は平面図を、（ｂ）はＡ−Ａ断面図を示している。
同図において、輪転印刷機の折機１は、従来例に係る折機１００と比較して、折れ防止ガイド６を設けた点が相違する。他の構成要素は従来例の排紙装置１００とほぼ同様としてある。
したがって、図１，２において、図３，４と同様の構成部分については同一の符号を付して、その詳細な説明を省略する。
【００２５】
（折れ防止ガイド）
折れ防止ガイド６は、先端側上面が、天側フォルディングローラ２１の半径とほぼ同じ、あるいは、それよりわずかに大きい曲率半径を有する曲面に形成された矩形棒状としてあり、先端部が、新聞紙１０をフォルディングローラ２１，２２に円滑に導く形状を有している。
また、この折れ防止ガイド６は、少なくとも一部（本実施形態では、先端側上部）が、上述した折り胴４１と一対のフォルディングローラ２１，２２とに囲まれた空間５４内に設けられている。折れ防止ガイド６は、先端側下面が、天側フォルディングローラ２１の周方向に形成された溝２１１の半径より大きな曲率半径に形成されており、溝２１１に、折れ防止ガイド６の一部が収容された状態で支持される。このようにすると、折れ防止ガイド６を厚くすることができ、折れ防止ガイド６の機械的強度を向上させることができる。また、天側フォルディングローラ２１に対しては、溝２１１が深くなりすぎないような構造としてあり、天側フォルディングローラ２１の機械的強度の低下を抑制する。すなわち、折れ防止ガイド６の下面形状、及び、天側フォルディングローラ２１の溝２１１形状によって、限られた隙間しか存在しない空間５４内に、外部から機械的強度に優れた折れ防止ガイド６を設置することができる。
【００２６】
ところで、天側フォルディングローラ２１は、従来例の天側フォルディングローラ１２１（図３参照）と比べると、天側フォルディングローラ１２１における、他のものより狭い間隔で形成されたペラ側の２箇所の逃げ溝２３を連通させた形状の溝２１１が形成されている点が相違しており、その他はほぼ同様な構造としてある。そして、天側フォルディングローラ２１に対して、折れ防止ガイド６は、溝２１１に収容された折れ防止ガイド６の両側に、逃げ溝２３と同じ幅の隙間が形成される構造としてあり、前記隙間が新たな逃げ溝として機能する。このようにすると、他のものより狭い間隔で形成されたペラ側の２箇所の逃げ溝２３の近傍に、逃げ溝２３の機能を損なうことなく折れ防止ガイド６を設けることができる。  
さらに、天側フォルディングローラ２１に溝２１１を設けることにより、折れ防止ガイド６の位置調整（たとえば、上下方向の位置調整）の自由度を増大させることもできる。
【００２７】
また、折れ防止ガイド６は、ペラ側から天側ガイド３１，折れ防止ガイド６，天側ガイド３１，天側ガイド３１の順に、側面どうしが接触した状態で設けられている。これにより、従来例におけるペラ側の三つ連結された天側ガイド３１の機能をほぼ損なうことなく、折れ防止ガイド６は設けられている。
【００２８】
上述したように、本実施形態の折れ防止ガイド６は、第二折りされる新聞紙１０のペラ側の天側端部に対応する位置に設けられている。通常、ペラ側の天側端部に対応する位置は、新聞紙１０のペラ側端部の位置よりわずかに袋とじ側に移動した位置となる。これにより、上記四種類の不要な折れのうち、最も発生頻度の高いペラ側天折れの発生を効果的に防止する。
なお、本実施形態では、新聞紙１０の折れが最も発生しやすい、新聞紙１０のペラ側の天側端部に対応する位置に、折れ防止ガイド６を設けた構成としてあるが、これに限定されるものではない。たとえば、新聞紙１０の袋とじ側の天側端部に対応する位置，袋とじ側の地側端部に対応する位置及びペラ側の地側端部に対応する位置にも折れ防止ガイド（図示せず）を設ける構成としてもよい。このようにすると、新聞紙１０の四種類の折れを防止することができる。
【００２９】
たとえば、図示してないが、折れ防止ガイド６を、新聞紙１０の袋とじ側の天側端部に対応する位置に設ける場合、袋とじ側から一番目と二番目の天側ガイド３１の間に、側面どうしが接触した状態で折れ防止ガイド６を設ける。さらに、天側フォルディングローラ２１に対しては、袋とじ側から一番目と二番目の逃げ溝２３の間に（各逃げ溝２３と連通することなく、あるいは、いずれか一つの逃げ溝２３と連通した状態で）、溝２１１を形成することにより、袋とじ側における天側ガイド３１や逃げ溝２３の機能を損なうことなく、折れ防止ガイド６を設けることができる。
【００３０】
また、折れ防止ガイド６は、天側ガイド３１が固定される支持棒３１１に、支持部材６１を介して固定されている。この支持部材６１は、支持棒３１１に嵌入される貫通孔６１１が形成され、端部から貫通孔６１１に向かって二つ割りされた構造としてあり、二つ割りした端部をボルト６１２で締め付けることにより、支持棒３１１に固定される。また、支持部材６１は、天側フォルディングローラ２１側端部の下面に、折れ防止ガイド６が螺着される構造としてある。
【００３１】
ここで、好ましくは、折れ防止ガイド６が、位置調整自在に支持される構成とするとよい。本実施形態では、支持部材６１を支持棒３１１に固定する際、支持棒３１１に対する固定角度を調整することができるので、折れ防止ガイド６は、支持棒３１１の軸心を中心とする曲座標における周方向に、位置調整される。また、折れ防止ガイド６を支持部材６１に螺着する際、図示してないが、折れ防止ガイド６に長円のボルト穴を形成することにより、直線方向に位置調整することができる。すなわち、折れ防止ガイド６は、支持棒３１１に対して、周方向及び半径方向に位置調整されるので、微妙なかつ自在な位置調整が可能となる。このようにすると、新聞紙１０の枚数や印刷速度などに応じて、折れ防止ガイド６の位置を微調整することができるので、不要な折れをより確実に防止することができる。
なお、折れ防止ガイド６の支持構造は、上記構造に限定されるものではない。
【００３２】
また、折れ防止ガイド６の材質を、樹脂又は軟質金属とするとよい。このようにすると、紙詰まり等のトラブルが発生した場合であっても、フォルディングローラ２１，２２などに損傷を与えるといった不具合を防止することができる。すなわち、紙詰まりによって折れ防止ガイド６が破損し、破損片がフォルディングローラ２１，２２に挟み込まれても、フォルディングローラ２１，２２などへの損傷を防止することができる。
なお、軟質金属として、アルミニウム，銅，錫及びこれらの合金などが挙げられる。また、折れ防止ガイド６は、軟質金属とテフロン（登録商標）などの複合材料としてもよい。
【００３３】
次に、本実施形態の折機１の動作及び（実施例にかかる）折れ防止ガイド６の詳細な形状について、図面を参照して説明する。
図２は、本発明の一実施形態にかかる輪転印刷機の折機の動作を説明するための概略図であり、（ａ）は第二折りが行なわれている状態を説明するための拡大断面図を、（ｂ）は第二折りの最終段階の状態を説明するための拡大断面図を、（ｃ）は不要な折れの発生を防止した状態を説明するための拡大断面図を示している。
同図（ａ）において、折れ防止ガイド６は、側面方向から見ると、仮想平面５１付近の上面が、天側フォルディングローラ２１と同じ曲率半径の曲面に形成されている。すなわち、折胴４１と折れ防止ガイド６の距離（最小距離）は、折胴４１と天側フォルディングローラ２１の距離と同じであり、新聞紙１０が紙引き針によって折胴４１に固定され、折胴４１に巻きつくように移動する際、円滑に新聞紙１０が移動する。また、新聞紙１０は、天側フォルディングローラ２１と地側フォルディングローラ２２に挟まれた状態で下方に送り出されることにより、第二折りが行なわれている。
【００３４】
また、折れ防止ガイド６は、上記曲面のさらに先端側が、天側フォルディングローラ２１と同じ曲率半径の曲面より外側（中央側を含む外側）に突出している。すなわち、折れ防止ガイド６の一部が、空間５４内のスペースを埋める（占める）ような構造としてある。ここで、新聞紙１０の地側端部は、折胴４１によって、折胴４１の回転方向に引っ張られ、天側端部は、折胴４１に押されるため、一対のフォルディングローラ２１，２２に挟み込まれる前の新聞紙１０は、地側が緩やかに（大きな曲率半径で）曲っているのに対して、天側が急激に（小さな曲率半径で）曲っている。このため、折れ防止ガイド６の上記突出した部分は、急激に（小さな曲率半径で）曲っている天側の新聞紙１０に対して、天側フォルディングローラ２１表面より接近した状態となる。すなわち、折れ防止ガイド６の突出した部分は、空間（デルタ地帯）５４内において、暴れ始める新聞紙１０のペラ側後端部手前をフォルディングローラ２１に接触させないといった効果を発揮し、新聞紙１０が円滑にフォルディングローラ２１，２２の間を通過する。
【００３５】
次に、同図（ｂ）に示すように、第二折りの最終段階に入ると、すなわち、折り胴４１と一対のフォルディングローラ２１，２２とに囲まれた空間５４に、新聞紙１０の天側端部及び地側端部が入ると、この両端部は、完全にフリー状態となり中央側に移動する。
【００３６】
次に、中央側に移動した両端部は衝突し、その反力によって、反中央側に移動するが、同図（ｃ）に示すように、新聞紙１０の天側端部は、反中央側に移動すると、折れ防止ガイド６の突出した部分によって、新聞紙１０の後端部が遮られる。これにより、新聞紙１０の天側端部は、フォルディングローラ２１の凹凸などにより摩擦抵抗を大きくした表面に接触し、引っかかるようにして不要に折り曲げられるといった事態が回避され、伸びた状態のまま円滑にフォルディングローラ２１，２２の間を通過する。すなわち、折れ防止ガイド６の突出した部分が空間５４内にあることによって、反中央側に移動する天側端部に、折れ曲るスペースを与えず、かつ、天側端部がフォルディングローラ２１と接触してしまい、不要な折れが発生するといった要素（きっかけ）を排除しているので、必然的に、新聞紙１０は折れることができず、折機１は、不要な折れの発生を効果的にかつほぼ完全に防止することができる。
また、折れ防止ガイド６の先端部は、突出した部分から天側フォルディングローラ２１の表面に重なるなだらかな曲面を有しており、突出した部分によって、折れのきっかけを失った（すなわち、伸びた状態の）新聞紙１０は、フォルディングローラ２１，２２に円滑に導かれ、不要な折り曲げの発生が回避される。
【００３７】
このように、本実施形態の折機１によれば、不要な折れの発生メカニズムに着目し、折れ曲るスペースを与えないように、折れ防止ガイド６を設けることにより、不要な折れの発生を効果的にかつほぼ完全に防止することができる。
なお、一般的に、折れ防止ガイド６における先端側のガイド部の形状は、新聞紙１０の剛性，くせに関係する材質や、インキ量，湿し水量に関わる印刷状況及び新聞紙の頁数などに応じて微妙な修正が行われる。
【００３８】
以上、本発明の輪転印刷機の折機について、好ましい実施形態を示して説明したが、本発明に係る輪転印刷機の折機は、上述した実施形態にのみ限定されるものではなく、本発明の範囲で種々の変更実施が可能であることは言うまでもない。
たとえば、輪転印刷機の折機１は、折れ防止ガイド６が、支持部材６１を介して支持棒３１１に位置調整自在に固定された構成としてあるが、これに限定されるものではない。たとえば、図示してないが、折れ防止ガイド６が、リニアベアリングなどによって進退自在に支持され、かつ、ボールねじやラック、モータなどの駆動手段によって、遠隔操作される構成としてもよい。このようにすると、折機１を作動させながら、折れ防止ガイド６の位置を容易に微調整したり、新聞のページ数に応じて、あらかじめ設定位置を遠隔操作によりセットすることができる。
【産業上の利用可能性】
【００３９】
本発明は、印刷紙の中央部から二つ折りする折機に対して、適用が可能である。
【図面の簡単な説明】
【００４０】
【図１】本発明の一実施形態にかかる輪転印刷機の折機の要部の概略図であり、（ａ）は平面図を、（ｂ）はＡ−Ａ断面図を示している。
【図２】本発明の一実施形態にかかる輪転印刷機の折機の動作を説明するための概略図であり、（ａ）は第二折りが行なわれている状態を説明するための拡大断面図を、（ｂ）は第二折りの最終段階の状態を説明するための拡大断面図を、（ｃ）は不要な折れの発生を防止した状態を説明するための拡大断面図を示している。
【図３】従来例にかかる輪転印刷機の折機の要部の概略図であり、（ａ）は平面図を、（ｂ）は第二折りが行なわれる状態を説明するためのＢ−Ｂ断面図を示している。
【図４】従来例にかかる輪転印刷機の折機による不要な折れを説明するための概略図であり、（ａ）は第二折りが行なわれている状態を説明するための拡大断面図を、（ｂ）は第二折りの最終段階の状態を説明するための拡大断面図を、（ｃ）は不要な折れが発生した状態を説明するための拡大断面図を、（ｄ）は不要な折れが発生した新聞紙の斜視図を示している。
【符号の説明】
【００４１】
１，１００  折機
６  折れ防止ガイド
１０  新聞紙
２１，１２１  天側フォルディングローラ
２２  地側フォルディングローラ
２３  逃げ溝
３１  天側ガイド
３２  地側ガイド
４１  折胴
４２  折ブレード
５１  仮想平面
５２  仮想平面
５３  仮想平面
５４  空間
６１  支持部材
２１１  溝
３１１  支持棒
６１１  貫通孔
６１２  ボルト
【図１】
2007276932.tif 000003
【図２】
2007276932.tif 000004
【図３】
2007276932.tif 000005
【図４】
2007276932.tif 000006